【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
直流電源（１１）による直流電圧（ＶＢ）が印加される一次コイル（２１）、及び前記一次コイルへの通電の遮断を受けて誘導起電力を発生させる二次コイル（２２）を有する点火コイル（２）と、
前記誘導起電力によって、内燃機関（８）の燃焼室（８１）内に火花放電を発生させるための点火プラグ（３）と、
前記一次コイルの少なくとも一部を構成する第１コイル部（２１１）への通電及び通電の遮断を行って、前記直流電圧を利用して前記誘導起電力を発生させるための第１スイッチング素子（５１）を有する主点火回路（５）と、
前記一次コイルの少なくとも一部を構成する第２コイル部（２１２）への通電及び通電の遮断を行って、前記誘導起電力の発生後に、前記直流電圧を直接使用して前記二次コイルにおける放電電流（Ｉ２）を目標範囲（Ｉｒ）内に維持するための第２スイッチング素子（６１）、及び前記第２スイッチング素子のターンオフ速度を遅くするソフトオフ回路（６２，６２Ａ）を有するエネルギ投入回路（６）と、を備え、
前記エネルギ投入回路は、
前記第２スイッチング素子のゲート（Ｇ）に加わる信号電圧（Ｖｇｓ）を低下させる際に、前記信号電圧をゲート−ソース間の閾値電圧（Ｖｔｈ）の近傍になるまで低下させる第１低下段階（Ｔ１）と、前記信号電圧を前記閾値電圧の近傍において徐々に低下させる第２低下段階（Ｔ２）とを実行するよう構成されている、内燃機関用点火装置（１）。
【請求項２】
直流電源（１１）による直流電圧（ＶＢ）が印加される一次コイル（２１）、及び前記一次コイルへの通電の遮断を受けて誘導起電力を発生させる二次コイル（２２）を有する点火コイル（２）と、
前記誘導起電力によって、内燃機関（８）の燃焼室（８１）内に火花放電を発生させるための点火プラグ（３）と、
前記一次コイルの少なくとも一部を構成する第１コイル部（２１１）への通電及び通電の遮断を行って、前記直流電圧を利用して前記誘導起電力を発生させるための第１スイッチング素子（５１）を有する主点火回路（５）と、
前記一次コイルの少なくとも一部を構成する第２コイル部（２１２）への通電及び通電の遮断を行って、前記誘導起電力の発生後に、前記直流電圧を直接使用して前記二次コイルにおける放電電流（Ｉ２）を目標範囲（Ｉｒ）内に維持するための第２スイッチング素子（６１）を有し、前記第２スイッチング素子のターンオフ速度を前記第２スイッチング素子のターンオン速度よりも遅くするエネルギ投入回路（６）と、を備え、
前記エネルギ投入回路は、
前記第２スイッチング素子のゲート（Ｇ）に加わる信号電圧（Ｖｇｓ）を低下させる際に、前記信号電圧をゲート−ソース間の閾値電圧（Ｖｔｈ）の近傍になるまで低下させる第１低下段階（Ｔ１）と、前記信号電圧を前記閾値電圧の近傍において徐々に低下させる第２低下段階（Ｔ２）とを実行するよう構成されている、内燃機関用点火装置（１）。
【請求項３】
前記エネルギ投入回路は、
前記第２スイッチング素子のゲート（Ｇ）に接続された、抵抗値の異なる２種類の制御用抵抗器（６２１，６２２）を有し、かつ、前記第１低下段階においては、抵抗値が低い方の第１制御用抵抗器（６２１）を利用して前記第２スイッチング素子のゲートに加わる信号電圧を低下させ、前記第２低下段階においては、抵抗値が高い方の第２制御用抵抗器（６２２）を利用して前記第２スイッチング素子のゲートに加わる信号電圧を低下させるよう構成されている、請求項１又は２に記載の内燃機関用点火装置。
【請求項４】
直流電源（１１）による直流電圧（ＶＢ）が印加される一次コイル（２１）、及び前記一次コイルへの通電の遮断を受けて誘導起電力を発生させる二次コイル（２２）を有する点火コイル（２）と、
前記誘導起電力によって、内燃機関（８）の燃焼室（８１）内に火花放電を発生させるための点火プラグ（３）と、
前記一次コイルの少なくとも一部を構成する第１コイル部（２１１）への通電及び通電の遮断を行って、前記直流電圧を利用して前記誘導起電力を発生させるための第１スイッチング素子（５１）を有する主点火回路（５）と、
前記一次コイルの少なくとも一部を構成する第２コイル部（２１２）への通電状態を制御して、前記誘導起電力の発生後に、前記直流電圧を直接使用して前記二次コイルにおける放電電流（Ｉ２）を目標値に維持するための第２スイッチング素子（６１）を有し、前記第２スイッチング素子によって前記第２コイル部に印加される電圧（Ｖｃ）が、前記直流電圧よりも低い状態を維持するエネルギ投入回路（６）と、を備え、
前記エネルギ投入回路は、
前記二次コイルにおける放電電流が一定値に維持されるように、前記第２スイッチング素子のゲート−ソース間の電圧（Ｖｇｓ）を閾値電圧（Ｖｔｈ）の近傍において徐々に増加させることにより、前記第２スイッチング素子のドレイン−ソース間に流れる電流（Ｉｄｓ）を制限して徐々に増加させるよう構成されている、内燃機関用点火装置（１）。
【手続補正２】
【補正対象書類名】明細書
【補正対象項目名】０００９
【補正方法】変更
【補正の内容】
【０００９】
本発明の第１態様は、
直流電源（１１）による直流電圧（ＶＢ）が印加される一次コイル（２１）、及び前記一次コイルへの通電の遮断を受けて誘導起電力を発生させる二次コイル（２２）を有する点火コイル（２）と、
前記誘導起電力によって、内燃機関（８）の燃焼室（８１）内に火花放電を発生させるための点火プラグ（３）と、
前記一次コイルの少なくとも一部を構成する第１コイル部（２１１）への通電及び通電の遮断を行って、前記直流電圧を利用して前記誘導起電力を発生させるための第１スイッチング素子（５１）を有する主点火回路（５）と、
前記一次コイルの少なくとも一部を構成する第２コイル部（２１２）への通電及び通電の遮断を行って、前記誘導起電力の発生後に、前記直流電圧を直接使用して前記二次コイルにおける放電電流（Ｉ２）を目標範囲（Ｉｒ）内に維持するための第２スイッチング素子（６１）、及び前記第２スイッチング素子のターンオフ速度を遅くするソフトオフ回路（６２，６２Ａ）を有するエネルギ投入回路（６）と、を備え、
前記エネルギ投入回路は、
前記第２スイッチング素子のゲート（Ｇ）に加わる信号電圧（Ｖｇｓ）を低下させる際に、前記信号電圧をゲート−ソース間の閾値電圧（Ｖｔｈ）の近傍になるまで低下させる第１低下段階（Ｔ１）と、前記信号電圧を前記閾値電圧の近傍において徐々に低下させる第２低下段階（Ｔ２）とを実行するよう構成されている、内燃機関用点火装置（１）にある。
【手続補正３】
【補正対象書類名】明細書
【補正対象項目名】００１０
【補正方法】変更
【補正の内容】
【００１０】
本発明の第２態様は、
直流電源（１１）による直流電圧（ＶＢ）が印加される一次コイル（２１）、及び前記一次コイルへの通電の遮断を受けて誘導起電力を発生させる二次コイル（２２）を有する点火コイル（２）と、
前記誘導起電力によって、内燃機関（８）の燃焼室（８１）内に火花放電を発生させるための点火プラグ（３）と、
前記一次コイルの少なくとも一部を構成する第１コイル部（２１１）への通電及び通電の遮断を行って、前記直流電圧を利用して前記誘導起電力を発生させるための第１スイッチング素子（５１）を有する主点火回路（５）と、
前記一次コイルの少なくとも一部を構成する第２コイル部（２１２）への通電及び通電の遮断を行って、前記誘導起電力の発生後に、前記直流電圧を直接使用して前記二次コイルにおける放電電流（Ｉ２）を目標範囲（Ｉｒ）内に維持するための第２スイッチング素子（６１）を有し、前記第２スイッチング素子のターンオフ速度を前記第２スイッチング素子のターンオン速度よりも遅くするエネルギ投入回路（６）と、を備え、
前記エネルギ投入回路は、
前記第２スイッチング素子のゲート（Ｇ）に加わる信号電圧（Ｖｇｓ）を低下させる際に、前記信号電圧をゲート−ソース間の閾値電圧（Ｖｔｈ）の近傍になるまで低下させる第１低下段階（Ｔ１）と、前記信号電圧を前記閾値電圧の近傍において徐々に低下させる第２低下段階（Ｔ２）とを実行するよう構成されている、内燃機関用点火装置（１）にある。
【手続補正４】
【補正対象書類名】明細書
【補正対象項目名】００１１
【補正方法】変更
【補正の内容】
【００１１】
本発明の第３態様は、
直流電源（１１）による直流電圧（ＶＢ）が印加される一次コイル（２１）、及び前記一次コイルへの通電の遮断を受けて誘導起電力を発生させる二次コイル（２２）を有する点火コイル（２）と、
前記誘導起電力によって、内燃機関（８）の燃焼室（８１）内に火花放電を発生させるための点火プラグ（３）と、
前記一次コイルの少なくとも一部を構成する第１コイル部（２１１）への通電及び通電の遮断を行って、前記直流電圧を利用して前記誘導起電力を発生させるための第１スイッチング素子（５１）を有する主点火回路（５）と、
前記一次コイルの少なくとも一部を構成する第２コイル部（２１２）への通電状態を制御して、前記誘導起電力の発生後に、前記直流電圧を直接使用して前記二次コイルにおける放電電流（Ｉ２）を目標値に維持するための第２スイッチング素子（６１）を有し、前記第２スイッチング素子によって前記第２コイル部に印加される電圧（Ｖｃ）が、前記直流電圧よりも低い状態を維持するエネルギ投入回路（６）と、を備え、
前記エネルギ投入回路は、
前記二次コイルにおける放電電流が一定値に維持されるように、前記第２スイッチング素子のゲート−ソース間の電圧（Ｖｇｓ）を閾値電圧（Ｖｔｈ）の近傍において徐々に増加させることにより、前記第２スイッチング素子のドレイン−ソース間に流れる電流（Ｉｄｓ）を制限して徐々に増加させるよう構成されている、内燃機関用点火装置（１）にある。